(57)【要約】【課題】安価な軸受を用いながらも、最小限の水量で効率的に冷却できる冷却機構を備えた立軸ポンプ装置を提供する。【解決手段】下端部に羽根車３が取り付けられた主軸２が、鉛直姿勢の揚水管６に軸受２を介して回転可能に支持され、前記軸受２に冷却水を供給する冷却機構２０が設けられている立軸ポンプ装置Ｐであって、前記軸受１を流出する冷却水の温度または軸受の温度を検知する温度センサＳが設けられ、前記冷却機構２０は前記温度センサＳの値に基づいて前記軸受１への冷却水の供給量を調整するように構成されている【選択図】図１
2014190207.tif 000002
【特許請求の範囲】
【請求項１】
下端部に羽根車が取り付けられた主軸が、鉛直姿勢の揚水管に軸受を介して回転可能に支持され、前記軸受に冷却水を供給する冷却機構が設けられている立軸ポンプ装置であって、
前記軸受を冷却した冷却水の温度または軸受の温度を検知する温度センサが設けられ、前記冷却機構は前記温度センサの値に基づいて前記軸受への冷却水の供給量を調整するように構成されている立軸ポンプ装置。
【請求項２】
前記軸受の下部に設けられた軸封装置と前記軸受とが水密に連結された保護管で前記主軸が被覆され、前記冷却機構は前記温度センサの値に基づいて前記保護管への冷却水の供給量を調整するように構成されている請求項１記載の立軸ポンプ装置。
【請求項３】
前記保護管の下端側から冷却水が供給されるように構成され、前記温度センサは前記主軸の最上部に設置された軸受を流出する冷却水の温度または軸受の温度を検知するように構成されている請求項２記載の立軸ポンプ装置。
【請求項４】
前記保護管の上端側から冷却水が供給されるように構成され、前記温度センサは前記主軸の最下部に設置された軸受を流出する冷却水の温度または軸受の温度を検知するように構成されている請求項２記載の立軸ポンプ装置。
【請求項５】
前記軸受の両端部に揚水の浸入を防止するシール機構が設けられ、前記シール機構の内側一端から冷却水を供給し内側他端から排出する冷却管が配置され、前記冷却機構は前記温度センサの値に基づいて前記冷却管への冷却水の供給量を調整するように構成されている請求項１記載の立軸ポンプ装置。
【請求項６】
前記温度センサは前記軸受に流入する冷却水の流入温度及び前記軸受から流出する冷却水の流出温度を検知するように構成され、前記冷却機構は両温度の差分値に基づいて冷却水の供給量を調整する請求項１から５の何れかに記載の立軸ポンプ装置。
【請求項７】
前記温度センサは前記軸受を流出する冷却水の温度及び所定の環境温度を検知するように構成され、前記冷却機構は両温度の差分値に基づいて冷却水の供給量を調整する請求項１から５の何れかに記載の立軸ポンプ装置。
【請求項８】
前記冷却機構は前記温度センサの値が所定の異常温度を示すと、異常信号を出力する請求項１から７の何れかに記載の立軸ポンプ装置。
【発明の詳細な説明】
【技術分野】
【０００１】
本発明は、下端部に羽根車が取り付けられた主軸が、鉛直姿勢の揚水管に軸受を介して回転可能に支持され、前記軸受に冷却水を供給する冷却機構が設けられている立軸ポンプ装置に関する。
【背景技術】
【０００２】
特許文献１には、立軸ポンプの主軸の軸受を冷却するために、軸受の両端に軸封装置を設け、軸封装置と軸受とを保護管で接続して封水部を形成し、封水部に封水タンクから冷却水を供給するように構成し、軸封装置からの水漏れを封水タンクの水面の変動によって検知して冷却水を自動供給する立軸ポンプ装置が開示されている。
【０００３】
また、特許文献２には、軸封装置や軸受の摺動熱により潤滑液が昇温し、或いは潤滑液が蒸発等により不足して軸封装置や軸受が焼損する危険性に備えて、貯液タンクから保護管に冷却水を循環供給するように構成し、貯液タンク内の液温に基づいて循環水を冷却する放熱機構を設けた立軸ポンプ装置が開示されている。
【先行技術文献】
【特許文献】
【０００４】
【特許文献１】特開平０４−３３４７９４号公報
【特許文献２】特開平１１−３２４９６７号公報
【発明の概要】
【発明が解決しようとする課題】
【０００５】
上述した従来の立軸ポンプ装置は、良質の冷却水が十分に確保されているという前提の下で、軸封装置としてグランドパッキン等、多少の水漏れが許容される安価なものが用いられており、軸受材料であるゴム部材や樹脂部材が所定の耐熱温度以上に上昇しないように、水漏れ量を見込んだ安全な、多量の水量の冷却水が保護管に供給されるように設定されていた。
【０００６】
しかし、上質の冷却水が十分に確保されない場合には、水漏れが少ないメカニカルシール等の高価な軸封装置や、耐熱性及び耐磨耗性の高い高価なセラミック軸受を用い、或いは冷却水を循環供給するための機構を設ける必要がある等、設備コストが嵩むという問題があった。
【０００７】
本発明の目的は、上述の問題点に鑑み、安価な軸受を用いながらも、最小限の水量で効率的に冷却できる冷却機構を備えた立軸ポンプ装置を提供する点にある。
【課題を解決するための手段】
【０００８】
上述の目的を達成するため、本発明による立軸ポンプ装置の第一の特徴構成は、特許請求の範囲の書類の請求項１に記載した通り、下端部に羽根車が取り付けられた主軸が、鉛直姿勢の揚水管に軸受を介して回転可能に支持され、前記軸受に冷却水を供給する冷却機構が設けられている立軸ポンプ装置であって、前記軸受を冷却した冷却水の温度または軸受の温度を検知する温度センサが設けられ、前記冷却機構は前記温度センサの値に基づいて前記軸受への冷却水の供給量を調整するように構成されている点にある。
【０００９】
温度センサによって軸受を冷却した冷却水の温度または軸受の温度が検知されることにより、軸受の発熱の程度が把握でき、その温度に基づいて軸受が焼損しない程度に冷却機構によって軸受への冷却水の供給量が調整される。従って、上水等の良質の冷却水が十分に確保できない環境で、安価な軸受を用いる場合であっても最小限の冷却水量で軸受が冷却できるようになる。
【００１０】
同第二の特徴構成は、同請求項２に記載した通り、上述の第一の特徴構成に加えて、前記軸受の下部に設けられた軸封装置と前記軸受とが水密に連結された保護管で前記主軸が被覆され、前記冷却機構は前記温度センサの値に基づいて前記保護管への冷却水の供給量を調整するように構成されている点にある。
【００１１】
温度センサによって軸受を流出する冷却水の温度または軸受の温度が検知されることにより、軸受の発熱の程度が把握でき、その温度に基づいて軸受が焼損しない程度に冷却機構によって保護管への冷却水の供給量が調整される。この場合、揚水運転中には揚水によって冷却水が放熱されるので、保護管への冷却水の供給量がさらに低減できる。
【００１２】
同第三の特徴構成は、同請求項３に記載した通り、上述の第二の特徴構成に加えて、前記保護管の下端側から冷却水が供給されるように構成され、前記温度センサは前記主軸の最上部に設置された軸受を流出する冷却水の温度または軸受の温度を検知するように構成されている点にある。
【００１３】
保護管の下端側から冷却水が供給される場合には、冷却水が下方から上方に供給されるので、冷却水量が少なくなったときに最も影響がある主軸の最上部に設置された軸受を流出する冷却水の温度または軸受の温度を指標にすれば効率的に水量を調整できる。
【００１４】
同第四の特徴構成は、同請求項４に記載した通り、上述の第二の特徴構成に加えて、前記保護管の上端側から冷却水が供給されるように構成され、前記温度センサは前記主軸の最下部に設置された軸受を流出する冷却水の温度または軸受の温度を検知するように構成されている点にある。
【００１５】
保護管の上端側から冷却水が供給される場合には、冷却水が上方から下方に供給されるので、冷却水量が少なくなったときに最も影響がある主軸の最下部に設置された軸受を流出する冷却水の温度または軸受の温度を指標にすれば効率的に水量を調整できる。
【００１６】
同第五の特徴構成は、同請求項５に記載した通り、上述の第一特徴構成に加えて、前記軸受の両端部に揚水の浸入を防止するシール機構が設けられ、前記シール機構の内側一端から冷却水を供給し内側他端から排出する冷却管が配置され、前記冷却機構は前記温度センサの値に基づいて前記冷却管への冷却水の供給量を調整するように構成されている点にある。
【００１７】
軸受に冷却管を備えて個別に冷却するように構成されている場合には、温度センサによって検知された当該軸受を流出する冷却水の温度に基づいて水量が調整されることが好ましい。
【００１８】
同第六の特徴構成は、同請求項６に記載した通り、上述の第一から第五の何れかの特徴構成に加えて、前記温度センサは、前記軸受に流入する冷却水の流入温度及び前記軸受から流出する冷却水の流出温度を検知するように構成され、前記冷却機構は両温度の差分値に基づいて冷却水の供給量を調整する点にある。
【００１９】
軸受の摺動摩擦による昇温が冷却水で冷却されるため、冷却の前後の冷却水温度の差分値に基づけば、様々な季節変動要因にかかわらず、その時点での冷却水量が適切であるか否かが正確に把握できるようになる。
【００２０】
同第七の特徴構成は、同請求項７に記載した通り、上述の第一から第五の何れかの特徴構成に加えて、前記温度センサは、前記軸受を流出する冷却水の温度及び所定の環境温度を検知するように構成され、前記冷却機構は両温度の差分値に基づいて冷却水の供給量を調整する点にある。
【００２１】
軸受を流出する冷却水の温度と所定の環境温度との差分値に基づけば、様々な環境変動要因による誤差を吸収して、軸受を流出する冷却水による冷却能力の正確な値を把握できるようになる。例えば、季節変動による誤差を吸収するために所定の環境温度として大気温度や供給前の冷却水温度等を用いることができる。
【００２２】
同第八の特徴構成は、同請求項８に記載した通り、上述の第一から第七の何れかの特徴構成に加えて、前記冷却機構は前記温度センサの値が所定の異常温度を示すと、異常信号を出力する点にある。
【００２３】
温度センサの値に基づいて、軸受の温度が高く、耐熱温度に達する虞があると把握されるような場合に、冷却機構から出力される異常信号に基づいて、ポンプを停止する等の適切な対応を採ることができるようになる。
【発明の効果】
【００２４】
以上説明した通り、本発明によれば、安価な軸受を用いながらも、最小限の水量で効率的に冷却できる冷却機構を備えた立軸ポンプ装置を提供することができるようになった。
【図面の簡単な説明】
【００２５】
【図１】本発明の第一の実施形態を示す立軸斜流ポンプの説明図
【図２】本発明の第二の実施形態を示す立軸斜流ポンプの説明図
【図３】本発明の要部の説明図
【図４】本発明の別実施形態の要部の説明図
【図５】本発明の別実施形態の要部の説明図
【発明を実施するための形態】
【００２６】
以下に本発明による立軸ポンプ装置を説明する。
図１には、第一の態様が示され、立軸ポンプ装置の一例として、立軸斜流ポンプ装置Ｐ（以下、「立軸ポンプＰ」と記す。）が示されている。立軸ポンプＰは、下端部に羽根車３が取り付けられた主軸２が、鉛直姿勢の揚水管６に複数のゴム軸受１（以下、「軸受１」と記す。）を介して回転可能に支持され、揚水管６の先端に羽根車３を収容する吐出しボウル４が接続され、さらに吐出しボウル４の先端に吸込ベル５が接続されて構成されている。
【００２７】
揚水管６の上端側には、主軸２が水密かつ回転自在に貫通される吐出曲管９が接続され、主軸２がカップリングを介して駆動機１０の出力軸に接続されている。
【００２８】
羽根車側の軸受１の下方にメカニカルシールやグランドパッキンを用いた下部軸封装置１１が設けられ、主軸２の上方の吐出曲管９との接合部にはラビリンスシール等を用いた上部軸封装置１２が設けられている。
【００２９】
主軸２が、軸封装置１１，１２と各軸受１とが水密に連結された保護管１３で被覆され、ゴム製の軸受１を冷却するための冷却水を保護管１３に供給する冷却機構２０が設けられている。
【００３０】
冷却機構２０は、給水タンク２２と給水ポンプ２３と給水管２４と冷却制御部２５とを備えて構成され、給水タンク２２に貯水された冷却水が給水ポンプ２３によって汲み上げられ、給水管２４及び案内羽根１４に形成された給水路２１を経由して保護管１３の下端側から供給され、余剰給水は上部軸封装置１２から溢流するように構成されている。タンク２２に貯留される水は上水が好ましいが、立軸ポンプＰで揚水された水に含まれる固形分を沈殿処理等で除去した上澄み水を用いてもよい。
【００３１】
最上段の軸受１には、測温抵抗体（ＲＴＤ）または熱電対等を用いた温度センサＳが組み込まれ、温度センサＳにより検知された温度が冷却制御部２５に入力されるように構成されている。温度センサＳは、軸受１を冷却した冷却水の温度が検知可能にゴム製の軸受部位の近傍に設置されている。
【００３２】
冷却制御部２５（冷却機構２０）は温度センサＳの値に基づいて、保護管１３つまり軸受１への冷却水の供給量を調整するように構成されている。温度センサＳによって軸受１を冷却した冷却水の温度が検知されることにより、軸受１の発熱の程度が把握でき、その温度に基づいて軸受が焼損しない程度に冷却制御部２５によって軸受１への冷却水の供給量が調整される。従って、上水等の良質の冷却水が給水タンク２２に十分に確保できない環境で、安価な軸受１を用いる場合であっても最小限の冷却水量で軸受１が冷却できるようになる。
【００３３】
保護管１３の下端側から冷却水が供給される場合には、冷却水が下方から上方に供給されるので、冷却水量が少なくなったときに最も影響がある主軸２の最上部に設置された軸受１を流出する冷却水の温度を指標にすれば効率的に水量を調整できる。
【００３４】
尚、温度センサＳは、軸受本体、例えばゴム軸受であれば摺動部のゴムを保持するバックメタルまたはゴム部分に埋め込み設置して、軸受本体の温度に基づいて冷却制御部が冷却制御するように構成してもよい。
【００３５】
以下、詳述する。冷却制御部２５は、先ず給水ポンプ２３を駆動して冷却水を最上部の軸受１の上部まで給水する。給水ポンプ２３による給水量が既知であるので、例えば給水ポンプ２３の駆動時間を制御することで、所定量の給水が可能になる。尚、保護管１３の水位を検知して給水ポンプ２３を停止するように構成してもよい。
【００３６】
次に、駆動機１０を立ち上げて立軸ポンプＰを駆動し、揚水管６への揚水を開始する。主軸２の回転によって軸受１は発熱するが、揚水運転中に揚水によって保護管１３を介して冷却水が放熱される場合には、保護管１３への新たな冷却水の供給は不要となる場合もある。以下の説明は、揚水運転中に限らず、先行待機運転等、揚水せずに主軸２を回転させる場合でも同様である。尚、駆動機１０の位置に減速機を設け、減速機と駆動連結する駆動機を別に配置してもよい。
【００３７】
保護管１３内の冷却水が下部軸封装置１１から漏れ出して、冷却水の水位が低下すると、温度センサＳによって昇温が検知され、所定の閾値温度を超えると給水ポンプ２３を駆動して冷却水を追加供給する。給水ポンプ２３の駆動時間を制御して一定量を追加供給するように構成してもよいし、温度センサＳによる検知温度が所定の閾値温度より低下するまで追加供給するように構成してもよい。冷却水を追加供給する閾値温度よりも追加供給を停止する閾値温度を低く設定するヒステリシスを持たせてもよい。また、測定データの履歴を監視して、温度上昇を予測して冷却水を供給制御してもよく、閾値を複数持たせて供給量を変えるように構成してもよい。
【００３８】
軸受１を流出する冷却水の温度及び所定の環境温度を検知するように、温度センサＳを最上部の軸受１と給水タンク２２の双方に設けて、冷却制御部２５が、両温度の差分値に基づいて冷却水の供給量を調整するように構成することが好ましい。軸受１を流出する冷却水の温度と給水タンク２２の水温との差分値に基づけば、単に軸受１を流出する冷却水の温度のみに基づいて制御する場合の季節変動による水温変化に起因する誤差を吸収することができるようになる点で好ましい。
【００３９】
例えば耐熱温度が約６０℃のゴム軸受について、給水タンク２２から給水される冷却水の温度は夏場と冬場で大きく異なるため、冷却水の供給の可否を判断する閾値温度を例えば一律の５０℃に設定すると、例えば夏場に過剰に冷却水を供給することになる虞があり、冬場に軸受１の焼損を招くことになる虞がある。そのような場合でも、差分値に基づけば一律の閾値であっても安定的に制御できるようになる。
【００４０】
環境温度を検知するために設ける温度センサは、給水タンク２２に設置される態様に限ることはなく、大気温度を検知するように温度センサを設置してもよいし、揚水対象水の水温を検視するように温度センサを設置してもよい。環境温度を検知すれば、様々な環境変動要因による誤差を吸収して、軸受１を流れる冷却水による冷却能力の正確な値を把握できるようになる。
【００４１】
冷却水の供給の可否を差分値で判断する場合も、給水の開始と停止とで差分の閾値にヒステリシスを設定することが可能である。
【００４２】
冷却制御部２５が給水ポンプ２３を常時低速駆動し或いは間歇的に駆動して、保護管１３の上部軸封装置１２から冷却水が僅かに溢流する程度の微量を継続的に供給するように制御する場合でも本発明を適用できる。
【００４３】
例えば、温度センサＳによって検知された温度と所定の閾値温度との偏差に基づいて給水ポンプ２３からの給水量を増量または減量することによって、常に必要な大量の冷却水の供給と比べて僅かな冷却水量で軸受１の焼損を回避することができるようになる。
【００４４】
上述のように温度センサＳによって検知された温度と環境温度との差分値を求め、当該差分値と所定の閾値温度との偏差に基づいて給水ポンプ２３からの給水量を増量または減量するように制御してもよい。そして、この場合、制御態様としてＰＩＤ制御を採用することが好ましい。
【００４５】
図２には、第二の態様が示されている。第一の態様と異なる点は、保護管１３の上端側から冷却水が供給されるように構成され、温度センサＳは主軸２の最下部に設置された軸受１を流出する冷却水の温度を検知するように構成されている点である。尚、図１と同じ部位には同じ符号を付してその部位の説明を省略する。
【００４６】
保護管１３の上端側から冷却水が供給される場合には、冷却水が上方から下方に供給されるので、冷却水量が少なくなったときに最も影響があり、温度が上昇しやすい主軸の最下部に設置された軸受を流出する冷却水の温度を指標にすれば効率的に水量を調整できる。
【００４７】
第二の態様でも、既に説明したような軸受を流出する冷却水の温度と所定の環境温度との差分値に基づいて冷却水の給水制御を行なうことが可能であり、また冷却水を追加するための閾値と停止するための閾値にヒステリシスを持たせることも可能である。
【００４８】
上述の例では、軸受１を流出する冷却水の温度を検知する温度センサＳを最上部の軸受１または最下部の軸受１に備える態様を説明したが、各軸受１に温度センサＳを備えて、少なくとも一つの軸受１で閾値温度を超えたときに冷却水を追加供給するように構成してもよい。
【００４９】
第一及び第二の態様の何れであっても、最上部の軸受と最下部の軸受の二箇所に温度センサＳを組み込み、何れか一方が閾値温度を超えると冷却水を追加供給するように構成してもよい。最上部の軸受に備えた温度センサＳで水位の低下を間接的に把握でき、羽根車３という最も大きな負荷がかかり最も発熱しやすい最下部の軸受に備えた温度センサＳで最も厳しい冷却環境を把握することができる。
【００５０】
さらに、図３に示すように、軸受１に流入する冷却水の流入温度及び軸受１から流出する冷却水の流出温度を検知する温度センサＳ１，Ｓ２を備え、冷却制御部２５が両温度の差分値に基づいて冷却水の供給量を調整するように構成してもよい。尚、第一の態様では、温度センサＳ２で流入温度が検知され、第二の態様では温度センサＳ１で流入温度が検知されることになる。
【００５１】
温度センサＳ１，Ｓ２の差分値によれば、軸受の摺動摩擦による昇温が冷却水で冷却される程度が明確に把握できるようになるので、環境温度の変動による影響を抑制でき、様々な季節変動要因にかかわらず、その時点での冷却水量が適切であるか否かが正確に把握できるようになる。
【００５２】
温度センサＳ１，Ｓ２の信号線（図中、一点鎖線で示されている。）は、例えば軸受１の支持部３０を鋳込むときに形成される信号線挿通孔を経由して取り出すことができる。
【００５３】
この場合も、既述したように、温度センサＳ１，Ｓ２の差分値が所定の給水閾値を超えると給水開始し、給水閾値より低い所定の停止閾値を下回ると給水停止するように冷却制御部２５を構成すればよい。
【００５４】
また、温度センサＳ１，Ｓ２の差分値と所定の閾値との差分値に基づいて、急水量を増加または減少制御するように冷却制御部２５を構成してもよい。
【００５５】
以上の説明では主軸２に保護管１３が設けられ、保護管１３に冷却水が供給される例を説明したが、個々の軸受１にそれぞれ冷却水が供給されるような構成であっても本発明を適用することができる。
【００５６】
例えば、図４に示すように、軸受１の支持部３０に冷却水の給水路３１と排水路３２を形成するとともに、軸受１の上下端にオイルシール３３を設けて、給水路３１から供給される冷却水が軸受１の内部を通流して排水路３２に排出されるように構成してもよい。
【００５７】
そして、軸受１の両端部に温度センサＳ１，Ｓ２を備え、冷却制御部２５が両温度センサＳ１，Ｓ２の差分値に基づいて冷却水の供給量を増減するように構成することができる。この場合、各軸受１に供給され、排水路３２から排水された冷却水を給水タンク２２に戻して循環供給するように構成することが好ましい。
【００５８】
つまり、軸受１の両端部に揚水の浸入を防止するシール機構３３が設けられ、シール機構３３の内側一端から冷却水を供給し内側他端から排出する冷却管３１，３２が配置され、冷却機構２０は温度センサＳ１，Ｓ２の値に基づいて前記冷却管への冷却水の供給量を調整するように構成される。
【００５９】
尚、各軸受１に、冷却水の温度を検知する単一の温度センサＳ１を備える場合には、環境温度との差分値に基づいて冷却水の供給量を制御することが好ましい。
【００６０】
冷却機構２０に備えた冷却制御部２５は、温度センサＳの値が所定の異常温度を示すと、外部に異常信号を出力するように構成されていることが好ましい。
【００６１】
温度センサの値に基づいて、軸受の温度が高く、耐熱温度に達する虞があると把握されるような場合に、冷却制御部２５から出力される異常信号に基づいて、立軸ポンプ装置Ｐを自動または手動停止する等の適切な対応を採ることができるようになる。
【００６２】
上述した実施形態では、温度センサＳで冷却水の温度を測定する構成を説明したが、図５に示すように、温度センサＳで軸受１本体の温度を測定するように構成してもよい。この場合、摺動部であるゴム部分１ａを測定点にしてもよいが、長時間運転を考えると、変形や磨耗の影響を受けないようにゴムの外周を保持するバックメタル１ｂの温度を測定するのが好ましい。
【００６３】
上述した実施形態では、立軸ポンプ装置の例として斜流ポンプを用いた例を説明したが、本発明の立軸ポンプ装置は、斜流ポンプ以外に軸流ポンプや遠心ポンプにも適用可能である。
【００６４】
上述した実施形態では軸受がゴム軸受である場合を説明したが、ゴム軸受以外に樹脂軸受である場合も本発明を適用することができる。
【００６５】
上述した実施形態では、給水ポンプで冷却水を供給する構成を説明したが、高架水槽からバルブを介して供給する等、冷却水の供給量が制御できる態様であればどのような給水構成であってもよい。
【００６６】
以上の説明は、本発明の一実施形態であり、各記載により本発明の範囲が限定されるものではなく、各部の具体的な形状、材料、大きさ等は本発明の作用効果が奏される範囲で適宜変更設計可能である。
【符号の説明】
【００６７】
１：軸受
２：主軸
３：羽根車
６：揚水管
２０：冷却機構
２５：冷却制御部
Ｐ：立軸ポンプ装置
Ｓ、Ｓ１，Ｓ２：温度センサ
【図１】
2014190207.tif 000003
【図２】
2014190207.tif 000004
【図３】
2014190207.tif 000005
【図４】
2014190207.tif 000006
【図５】
2014190207.tif 000007